Podtech/llm-jp-corpus-v4-ja_patent huggingface dataset:
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
Ｍ１、Ｍ２およびＭ３ムスカリン受容体の選択的阻害により障害、病気および／または病態を予防または治療することを目的とした医薬組成物であって、１０−［（３Ｒ）−１−アザビシクロ［２．２．２］オクト−３−イルメチル］−１０Ｈ−フェノチアジンまたはその薬学上許容される塩を含んでなる、医薬組成物。
【請求項２】
鼻漏の処置を目的とした、特に鼻腔投与に適合する形態の、請求項１に記載の医薬組成物。
【請求項３】
尿失禁および関連の障害の予防または治療を可能とする、請求項１に記載の医薬組成物。
【請求項４】
１０−［（３Ｒ）−１−アザビシクロ［２．２．２］オクト−３−イルメチル］−１０Ｈ−フェノチアジンが、少なくとも９５〜１００％の１０−［（３Ｒ）−１−アザビシクロ［２．２．２］オクト−３−イルメチル］−１０Ｈ−フェノチアジン、９６〜１００％の１０−［（３Ｒ）−１−アザビシクロ［２．２．２］オクト−３−イルメチル］−１０Ｈ−フェノチアジン、９７〜１００％の１０−［（３Ｒ）−１−アザビシクロ［２．２．２］オクト−３−イルメチル］−１０Ｈ−フェノチアジン、９８〜１００％の１０−［（３Ｒ）−１−アザビシクロ［２．２．２］オクト−３−イルメチル］−１０Ｈ−フェノチアジン、９９〜１００％の１０−［（３Ｒ）−１−アザビシクロ［２．２．２］オクト−３−イルメチル］−１０Ｈ−フェノチアジン、および純粋な１０−［（３Ｒ）−１−アザビシクロ［２．２．２］オクト−３−イルメチル］−１０Ｈ−フェノチアジンを含んでなる混合物から選択される混合物である、請求項１〜３のいずれか一項に記載の医薬組成物。
【請求項５】
失禁および関連の障害が、切迫尿意（排尿筋の反射亢進）、不随意に生じ、急な尿意をもたらす膀胱の異常収縮による失禁；腹圧性尿失禁；膀胱括約筋機能不全に関連する神経因性膀胱の失禁；外傷による失禁；尿道の異所吻合による失禁；遺尿（４歳を超える小児）から選択される、請求項３に記載の医薬組成物。
【請求項６】
泌尿器障害に関連する病態または症状が、膀胱過活動から誘発される細菌または真菌感染症である、請求項３に記載の医薬組成物。
【請求項７】
経口投与に適合した形態である、請求項３に記載の医薬組成物。
【請求項８】
１μｇ．ｋｇ−１〜１０ｍｇ．ｋｇ−１、有利には０．０１ｍｇ．ｋｇ−１〜１ｍｇ．ｋｇ−１の経口投与形である、請求項３に記載の医薬組成物。
【請求項９】
有効物質濃度０．０１％〜１０％のゲルとしての局所用腟内投与形である、請求項３に記載の医薬組成物。
【請求項１０】
１０ｍｇ〜５００ｍｇの有効物質当量を含んでなる坐剤におけるオーブルとしての局所用腟内投与形である、請求項３に記載の医薬組成物。
【請求項１１】
血漿１ｍＬ当たり０．２ｎｇ〜１００ｎｇの１０−［（３Ｒ）−１−アザビシクロ［２．２．２］オクト−３−イルメチル］−１０Ｈ−フェノチアジン、有利には血漿１ｍＬ当たり２ｎｇ〜５０ｎｇの１０−［（３Ｒ）−１−アザビシクロ［２．２．２］オクト−３−イルメチル］−１０Ｈ−フェノチアジンの、粘膜周辺の循環中への放出を可能とする用量の、膣リング徐放性デバイスの形態で膣内投与するためのものである、請求項３に記載の医薬組成物。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
配列番号１によるアミノ酸配列を有する逆配列ポリペプチドを含む、カーゴ分子の送達のための輸送分子。
【請求項２】
逆配列ポリペプチドがカーゴ分子に共有結合により付着している、請求項１に記載の輸送分子。
【請求項３】
逆配列ポリペプチドが、カーゴ分子に非共有結合により付着した正電荷をもつ骨格に共有結合している、請求項１に記載の輸送分子。
【請求項４】
逆配列ポリペプチドが、カーゴ分子に非共有結合した正電荷をもつ骨格に共有結合している、請求項３に記載の輸送分子。
【請求項５】
カーゴ分子の生体膜を通した透過を増強する、請求項１〜４のいずれかに記載の輸送分子。
【請求項６】
生体膜が皮膚に存在する、請求項５に記載の輸送分子。
【請求項７】
カーゴ分子の細胞内透過を増強する、請求項１〜６のいずれかに記載の輸送分子。
【請求項８】
配列番号１に示すアミノ酸配列を有する逆配列ポリペプチドを含む輸送分子；及び
カーゴ分子
を含む、カーゴ分子の送達のためのコンジュゲート。
【請求項９】
輸送分子がカーゴ分子に共有結合により付着している、請求項８に記載のコンジュゲート。
【請求項１０】
輸送分子がカーゴ分子に非共有結合により付着している、請求項８に記載のコンジュゲート。
【請求項１１】
カーゴ分子が治療薬又は診断薬である、請求項８〜１０のいずれかに記載のコンジュゲート。
【請求項１２】
治療薬が、ペプチド、タンパク質、オリゴヌクレオチド、酵素、及び抗原からなる群から選択される、請求項１１に記載のコンジュゲート。
【請求項１３】
治療薬がある血清型のボツリヌス毒素又はその断片に由来する、請求項１１記載のコンジュゲート。
【請求項１４】
診断薬が、放射線不透過性造影剤、常磁性造影剤、超常磁性造影剤、及びＣＴ造影剤からなる群から選択される、請求項１１に記載のコンジュゲート。
【請求項１５】
請求項８〜１４のいずれか記載のコンジュゲートを含む疾患の治療薬。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
一次粒子から構成され、完全密度の少なくとも９９パーセントの密度を有する半透明ジルコニア焼結体であって、
前記一次粒子が、
正方晶系酸化ジルコニウムである主相と、
１００ｎｍ以下の寸法と、を有し、
前記ジルコニア焼結体中に存在する任意の孔の直径が、約２５ｎｍ以下である、半透明ジルコニア焼結体。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
安定なクロラミンを生成する方法において、濃縮塩素源は、濃縮アミン源と混合され、ｐＨが５以上の安定なクロラミンを生成するように撹拌されることを特徴とする方法。
【請求項２】
安定なクロラミンを生成する方法において、濃縮塩素源が、反応媒体とともに、濃縮アミン源と混合され、ｐＨ７またはそれ以上の安定なクロラミンを生成するように撹拌されることを特徴とする方法。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
（ａ）（１）少なくとも１つの塩基と、（２）（ｉ）両性金属酸化物又はオキシ水酸化物を形成する金属カチオン類から選択される金属カチオンと（ｉｉ）１〜４個のアルキレンオキシ部分を含む１つのカルボキシレートアニオンとを含む少なくとも１つの金属カルボン酸塩、又は、（ｉ）前記金属カチオンと非妨害アニオンとを含む少なくとも１つの金属塩と（ｉｉ）１〜４個のアルキレンオキシ部分を含む少なくとも１つのカルボン酸、少なくとも１つの前記カルボン酸と非妨害非金属カチオンとの塩、又はこれらの混合物とを含む金属カルボン酸塩前駆体と、を組み合わせる工程と、（ｂ）前記塩基及び前記金属カルボン酸塩又は前記金属カルボン酸塩前駆体を反応させる工程と、を含む方法。
【請求項２】
前記塩基がヒドロキシル基含有塩基であり、前記金属カチオンが亜鉛カチオンであり、前記カルボキシレートアニオン及び前記カルボン酸が、末端アルキル又はヒドロキシル基を更に含み、そして前記アルキレンオキシ部分が、メチレンオキシ、エチレンオキシ、ｎ−プロピレンオキシ、ｉ−プロピレンオキシ、ブチレンオキシ、及び対応するメトキシ−及びエトキシ置換部分、及びこれらの混合物から選択される、請求項１に記載の方法。
【請求項３】
前記金属カルボン酸塩が次の一般式によって表される分類の１つであり、
［Ｒ’（ＯＲ）ｘＺ（ＯＲ）ｗ（ＣＨ２）ｙＣＯＯ−］ｍ［Ｘ−］ｎＭ＋（ｍ＋ｎ）
（Ｉ）、
前記カルボン酸が、次の一般式によって表される分類の１つであり、
Ｒ’（ＯＲ）ｘＺ（ＯＲ）ｗ（ＣＨ２）ｙＣＯＯＨ                      （ＩＩ）、
前記金属塩が、次の一般式によって表される分類の１つであり、
Ｍ＋ｎ［Ｘ−］ｎ                                                  （ＩＩＩ）、
式中、Ｒ’は１〜４個の炭素原子を有する直鎖又は分枝鎖アルキル基であり、各Ｒは独立して１〜４個の炭素原子を有する直鎖又は分枝鎖アルキレン部分であり、ｘは０〜４の整数であり、Ｚは二価の有機連結部分であり、ｗはｘ＋ｗの和が１〜４の整数であるという条件で０〜４の整数であり、ｙは０〜３の整数であり、Ｘは非妨害アニオンであり、ｍ及びｎはｍ＋ｎの和が金属カチオンＭの電荷に等しいような値を有する整数であり、（金属カチオンのモル数の合計を基準にして）Ｍの少なくとも９０モル％がＢｅ、Ｔｉ、Ｖ、Ｍｎ、Ｃｒ、Ｆｅ、Ｃｏ、Ｎｉ、Ａｌ、Ｚｎ、Ｇａ、Ｉｎ、Ｇｅ、Ｓｎ、Ｐｂ、Ａｓ、Ｓｂ、Ｂｉ、Ｔｅ、Ｐｏ、及びこれらの混合物から選択される、請求項１に記載の方法。
【請求項４】
前記金属カルボン酸塩が、２−［２−（２−メトキシエトキシ）エトキシ］酢酸亜鉛、２−（２−メトキシエトキシ）酢酸亜鉛、メトキシ酢酸亜鉛、コハク酸亜鉛モノ−（２−メトキシエチル）エステル、コハク酸亜鉛モノ−［２−（２−メトキシエトキシ）エチル］エステル、コハク酸亜鉛モノ−｛２−［２−（２−メトキシエトキシ）エトキシ］エチル｝エステル、コハク酸亜鉛モノ−（２−メトキシ−１−メチルエチル）エステル、コハク酸亜鉛モノ−［２−（２−メトキシ−１−メチルエトキシ）−１−メチルエチル］エステル、コハク酸亜鉛モノ−｛２−［２−（２−メトキシ−１−メチルエトキシ）−１−メチルエトキシ］−１−メチルエチル｝エステル、［３−（２−メトキシエトキシ）プロポキシ］酢酸亜鉛、（２−メトキシエトキシメトキシ）酢酸亜鉛、コハク酸亜鉛モノ−｛２−［２−（２−メトキシエトキシ）−１−メチルエトキシ］−１−メチルエチル｝エステル、３−［２−（２−メトキシエトキシ）エトキシ］プロピオン酸亜鉛、［２−（２−メトキシエトキシ）−１−メチルエトキシ］酢酸亜鉛、ペンタン二酸亜鉛モノ−［２−（２−メトキシエトキシ）エチル］エステル、ペンタン二酸亜鉛モノ−（２−メトキシ−１−メチルエチル）エステル、（２−メトキシエトキシカルボニルメトキシ）酢酸亜鉛、（２−メトキシ−１−メチルエトキシカルボニルメトキシ）酢酸亜鉛、ブタ−２−エン二酸亜鉛モノ−（２−メトキシエチル）エステル、Ｎ−（２−メトキシエチル）コハク酸亜鉛、［（２−メトキシエチルカルバモイル）メトキシ］酢酸亜鉛、［２−（２−エトキシエトキシ）エトキシ］酢酸亜鉛、［２−（２−イソプロポキシエトキシ）エトキシ］酢酸亜鉛、｛２−［２−（２−ｔｅｒｔ−ブトキシエトキシ）エトキシ］エトキシ｝酢酸亜鉛、｛２−［２−（２−ｓｅｃ−ブトキシエトキシ）エトキシ］エトキシ｝酢酸亜鉛、２，３−ジメトキシプロピオン酸亜鉛、コハク酸亜鉛モノ−（２，３−ジメトキシプロピル）エステル、コハク酸亜鉛モノ−（２−メトキシ−１−メトキシメチルエチル）エステル、３−（２−メトキシエチルカルバモイル）酢酸亜鉛、（２−ヒドロキシエトキシ）酢酸亜鉛、［２−（２−ヒドロキシエトキシ）エトキシ］酢酸亜鉛、３−｛２−［２−（２−メトキシ−１−メチルエトキシ）−１−メチルエトキシ］−１−メチルエトキシ｝プロピオン酸亜鉛、３−（２−メトキシ−１−メチルエトキシ）プロピオン酸亜鉛、｛２−［２−（２−メトキシ−１−メチルエトキシ）−１−メチルエトキシ］−１−メチルエトキシ｝酢酸亜鉛、（２−メトキシ−１−メチルエトキシ）酢酸亜鉛、及びこれらの混合物から選択される、請求項１に記載の方法。
【請求項５】
（ａ）（１）少なくとも１つのヒドロキシ基含有塩基と（２）２−［２−（２−メトキシエトキシ）エトキシ］酢酸亜鉛、２−（２−メトキシエトキシ）酢酸亜鉛、メトキシ酢酸亜鉛、（２−メトキシ−１−メチルエトキシ）酢酸亜鉛、及びこれらの混合物から選択される少なくとも１つの金属カルボン酸塩とを組み合わせる工程と、（ｂ）前記塩基と前記塩とを反応させる工程と、を含む方法。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
開環メタセシス重合（ＲＯＭＰ）により重合可能な組成物あって、
ａ）ＲＯＭＰにより重合可能な少なくとも１つのモノマーと、
ｂ）ＲＯＭＰを開始するための少なくとも１つのホベイダ−グラブス型の反応開始剤と、
ｃ）少なくとも１つのＮ原子及び少なくとも１つのＮ原子を持つ環を構成する４つ以下の他の原子を持つ環を有する複素環式アミンからなる群から選択される少なくとも１つのリターダーとを含む、組成物。
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
多価カチオンによって非共有結合により架橋され、非ポリマー性であり、１つより多くのカルボキシ官能基を有し、少なくとも部分的に芳香族又は複素芳香族の特性を有し、少なくとも１つのプテリン又は５−置換プテリン部分を含むホスト分子を含む非水溶性マトリックスを含む組成物。
【請求項２】
多価カチオンによって非共有結合により架橋した葉酸を含む非水溶性マトリックスを含む組成物であって、前記組成物が更に、少なくとも１つのゲスト分子を含み、前記ゲスト分子が薬物である、組成物。
【請求項３】
多価カチオンによって非共有結合により架橋され、非ポリマー性であり、１つより多くのカルボキシ官能基を有し、少なくとも部分的に芳香族又は複素芳香族の特性を有し、少なくとも１つのプテリン又は５−置換プテリン部分を含むホスト分子を含む非水溶性マトリックスを含む粒子を含む粒子状組成物。
【請求項４】
請求項１に記載の組成物を調製する方法であって、
（ａ）
（１）非ポリマー性であり、１つより多くのカルボキシ官能基を有し、少なくとも部分的に芳香族又は複素芳香族の特性を有し、少なくとも１つのプテリン又は５−置換プテリン部分を含む少なくとも１つのホスト分子を含む分散液と、
（２）少なくとも１つの塩基と
を合わせてクロモニック相を有する溶液を形成する工程と、
（ｂ）クロモニック相を有する前記溶液と、多価カチオンの溶液とを合わせて、非水溶性マトリックスを形成する工程とを含む、方法。
【請求項５】
薬物送達方法であって、
（ａ）非水溶性マトリックスを含む組成物を提供する工程であって、このマトリックスが、
（１）多価カチオンによって非共有結合により架橋され、非ポリマー性であり、１つより多くのカルボキシ官能基を有し、少なくとも部分的に芳香族又は複素芳香族の特性を有し、少なくとも１つのプテリン又は５−置換プテリン部分を含むホスト分子と、
（２）前記マトリックス内に封入された少なくとも１つの薬物と、を含む工程と、
（ｂ）前記組成物が一価カチオンを含む組成物と接触し、前記封入された薬物の少なくとも一部を放出するように、生体に前記組成物を送達する工程と、
（ｃ）前記放出された薬物を、所望の治療効果が達成されるのに十分な時間、前記生体の少なくとも一部と接触させ続ける工程とを含む、方法。
【手続補正書】
【提出日】平成22年12月10日(2010.12.10)
【手続補正１】
【補正対象書類名】明細書
【補正対象項目名】００３６
【補正方法】変更
【補正の内容】
【００３６】
実施例７
シュウ酸塩方法浸出液に由来する水酸化チタニルを室温で水洗浄して、ｐＨが約７〜８となるまで撹拌・遠心分離サイクルを介してＮＨ４ＯＨを除去した。実験に用いたスラリーは、表４に示されている通り、１３．１８質量％のＴｉＯ２を含有していた。リン酸塩、カリウムおよびナトリウム添加物を、表４に表示されている通り水酸化チタニルと混合した。塩化ナトリウムフラックスを一部の混合物に添加した。塩化ナトリウムが存在した場合、より低い目標温度でより大量のルチルが観察され、ＮａＣｌが優れたルチルプロモータであることを示した。ＳＥＭ画像は、ＮａＣｌが８００℃で粒子形態制御作用物質であることを示した。
【表４】
2010514657.tif 000001
【手続補正２】
【補正対象書類名】明細書
【補正対象項目名】００３７
【補正方法】変更
【補正の内容】
【００３７】
以下、本発明を要約すると下記のとおりである。
１．ａ）塩化ナトリウムを、水酸化チタニルおよび任意選択的に１つ以上の形態制御添加物と混合して、混合物を形成するステップ；
ｂ）混合物を８００〜１２００℃の目標温度に加熱して二酸化チタンと塩化ナトリウムの混合物を形成するステップ；および
ｃ）任意選択的に、二酸化チタンから塩化ナトリウムを分離するステップ、
を含む二酸化チタン製造方法。
２．加熱が約０．５時間〜約４８時間の期間にわたって行われる、上記１に記載の方法。３．混合物が最長７２時間目標温度に保持される、上記１に記載の方法。
４．塩化ナトリウムの量が、水酸化チタニルから回収できる二酸化チタンの量に基づき１質量％〜５０質量％である、上記１に記載の方法。
５．塩化ナトリウムの量が、水酸化チタニルから回収できる二酸化チタンの量に基づいて１質量％〜３０質量％である、上記１に記載の方法。
６．塩化ナトリウムの量が、水酸化チタニルから回収できる二酸化チタンの量に基づいて１質量％〜１０質量％である、上記１に記載の方法。
７．塩化ナトリウムが固体の形態にある、上記１に記載の方法。
８．塩化ナトリウムが溶液の状態にある、上記１に記載の方法。
９．混合ステップには、数分から最長数日間の撹拌、振とうまたはタンブリングステップが含まれる、上記１に記載の方法。
１０．形態制御添加物が、ホスフェート、カリウム、ナトリウムおよびアルミニウムからなる群から選択されたイオンを含有する、上記１に記載の方法。
１１．水酸化チタニルが硫酸チタニル溶液から製造される、上記１に記載の方法。
１２．水酸化チタニルがオキシ塩化チタン溶液から製造される、上記１に記載の方法。
１３．水酸化チタニルがシュウ酸チタニルアンモニウム溶液から製造される、上記１に記載の方法。
１４．加熱が回転か焼炉内で行なわれる、上記１に記載の方法。
１５．加熱がスタティックか焼炉内で行なわれる、上記１に記載の方法。
１６．塩化ナトリウムが、水洗浄により二酸化チタンから分離される、上記１に記載の方法。
１７．塩化ナトリウムが、減圧蒸留により二酸化チタンから分離される、上記１に記載の方法。
１８．二酸化チタンがルチル型を含む、上記１に記載の方法。
１９．ルチル二酸化チタンが５０〜１０００ｎｍの粒子径を有する、上記１８に記載の方法。
２０．ルチル二酸化チタンが５０〜５００ｎｍの粒子径を有する、上記１８に記載の方法。
２１．混合物が８００〜１０００℃の温度に加熱される、上記１に記載の方法。
２２．記混合物が８００〜９００℃の温度に加熱される、上記１に記載の方法。
２３．目標温度に０.５〜４８時間の期間内で到達する、上記１に記載の方法。
２４．目標温度に１〜２４時間の期間内で到達する、上記１に記載の方法。
２５．混合物が最長７２時間、目標温度に保たれる、上記１に記載の方法。
２６．混合物が最長４８時間、目標温度に保たれる、上記１に記載の方法。
２７．混合物が最長２４時間、目標温度に保たれる、上記１に記載の方法。
【手続補正３】
【補正対象書類名】特許請求の範囲
【補正対象項目名】全文
【補正方法】変更
【補正の内容】
【特許請求の範囲】
【請求項１】
ａ）塩化ナトリウムを、水酸化チタニルおよび任意選択的に１つ以上の形態制御添加物と混合して、混合物を形成するステップ；
ｂ）混合物を８００〜１２００℃の目標温度に加熱して二酸化チタンと塩化ナトリウムの混合物を形成するステップ；および
ｃ）任意選択的に、二酸化チタンから塩化ナトリウムを分離するステップ、
を含む二酸化チタン製造方法。
【誤訳訂正書】
【提出日】平成23年3月28日(2011.3.28)
【誤訳訂正１】
【訂正対象書類名】明細書
【訂正対象項目名】００２５
【訂正方法】変更
【訂正の内容】
【００２５】
ミラー１１０の垂直コンダクタンスは、抵抗を過度に増大しないように十分な高さでなければならない。ミラースタックは異なるバンドギャップの半導体から作られるので、ミラーは、横方向電流を低減するのに妥当な限り等方導電性のものとして設計しなければならない。このため、抵抗率が全面的に方向とは無関係にほとんど同じになるように、より高い移動度を有する層はより低いドーピングを必要とし、より低い移動度を有する層はより高いドーピングを必要とする。ホール濃度と移動度との積は、ミラー１１０のできるだけ多くの部分について定数になる必要がある。半導体同士の境界部は、その傾斜の中間組成の方が移動度が低く、ギャップのより大きな材料に隣接するギャップの小さい方の材料が変調ドーピングされるので、より高濃度にかつ傾斜を持たせてドープする必要がある。
【誤訳訂正書】
【提出日】平成23年2月14日(2011.2.14)
【誤訳訂正１】
【訂正対象書類名】明細書
【訂正対象項目名】０００３
【訂正方法】変更
【訂正の内容】
【０００３】
次いで、むきだしの銅は、化学エッチングによって、フォトレジスト層によって保護されていないこれらの領域から選択的に除去される。最後に、フォトレジスト層の暴露された領域は、例えばより強い水性アルカリを用いて、化学的に除去され、写真層は遊離カルボン酸基を含む。
【誤訳訂正２】
【訂正対象書類名】明細書
【訂正対象項目名】０００８
【訂正方法】変更
【訂正の内容】
【０００８】
本発明によれば、導電性金属もしくは合金が積層された誘電性基板を含む電子装置を製造する方法が提供される。本方法は、インクジェット印刷により非水耐エッチング性インクを金属もしくは合金の選択された領域に塗布し、耐エッチング性インクを化学線及び／又は粒子線に暴露させて重合させ、むきだしの金属もしくは合金を化学エッチングプロセスにより取り除き、次いで、重合された耐エッチング性インクをアルカリにより取り除くことを含み、耐エッチング性インクは、実質的に溶剤不含であり、下記成分：
（A）単官能性もしくはそれを上回る多官能性を有し、5〜95wt%は１種以上の単官能性モノマーである酸性基不含のアクリレート官能性モノマー：30〜90重量部；
（B）１個以上の酸性基を含むアクリレート官能性モノマー：1〜30重量部；
（C）ポリマーもしくはプレポリマー：0〜20重量部；
（D）ラジカル開始剤：0〜20重量部；
（E）着色剤：0〜5重量部；
（F）界面活性剤：0〜5重量部
を含み、インクは40℃において30 cPs（mPa.s）以下の粘度を有する。
【誤訳訂正３】
【訂正対象書類名】明細書
【訂正対象項目名】００２７
【訂正方法】変更
【訂正の内容】
【００２７】
界面活性剤は、好ましくはアクリレートモノマー（成分A）と反応性であり、上述の１種以上の（メタ）アクリレート官能基を含むことが特に好ましい。有機ケイ素アクリレート界面活性剤の例としては、式-Si（R1,R1）-O（式中、各R1 は独立に、アルキル又はアリールであってもよい一価ヒドロカルビルである）の繰り返し単位及びさらに式-Si（-X-R1-O-）（式中、Xは（メタ）アクリレート部位である）の少なくとも１の基を含むポリシリコーンを挙げることができる。特別の例は、TegoradTM 2200N及び2100（Tego Chemie）である。
耐エッチング性インクは、好ましくは20〜40mN/m、特に25mN/m〜35mN/mの間の表面張力を有する。したがって、成分（F）の量は、一般に、0.1〜0.6重量部である。
耐エッチング性インクは、上記に特定した成分（A）〜（F）に加えて、放射線もしくは粒子線により硬化可能な組成物中に一般に用いられる他の補助剤をさらに含み得る。このような補助剤としては、滑り改質剤、チキソトロープ剤、発泡剤、消泡剤、ワックス、オイル、可塑剤、バインダー、抗酸化剤、光重合開始剤、安定化剤、艶出し剤、防かび剤、殺菌剤、有機及び／又は無機フィラー粒子、レベリング剤、乳白剤、帯電防止剤及び金属接着促進剤を挙げることができる。
【誤訳訂正書】
【提出日】平成23年10月28日(2011.10.28)
【誤訳訂正１】
【訂正対象書類名】明細書
【訂正対象項目名】請求項５
【訂正方法】変更
【訂正の内容】
【請求項５】    さらに、少なくとも１つの前置光変調器を備えることを特徴とする請求項１〜４のいずれか一項に記載の光投影システム。
【誤訳訂正２】
【訂正対象書類名】明細書
【訂正対象項目名】００１８
【訂正方法】変更
【訂正の内容】
【００１８】
それだけではなく、本発明では投影像の品質の更なる向上を意図したものである。本発明の選択された実施の態様は、システムのコントラストまたはダイナミックレンジの改善のために、前置光変調器としての追加のＳＬＭを使用してもよい。理想的には２つ以上のＳＬＭが、それらのピクセルが正確に１対１で対応して存在するように配置される。各ＳＬＭを独立して駆動することが可能であるが、協調することで、ダイナミックレンジ能力が結合されて、結果として得られるダイナミックレンジを拡張することになる。あるいは、より粗い（即ち、低解像度である）ＳＬＭを前置光変調器として使用して、関連する下流のＳＬＭの、一組のピクセルのダイナミックレンジを向上させてもよい。
【誤訳訂正３】
【訂正対象書類名】明細書
【訂正対象項目名】００１９
【訂正方法】変更
【訂正の内容】
【００１９】
本発明のより好ましい実施の態様は、全体にわたる下流のＳＬＭのダイナミックレンジを改善するために適用された単一ピクセル前置光変調器（典型的には、ＳＬＭ）を用いる。動作において、前置光変調器は全体の像を暗くし、選択場面の黒レベルを高めるために、下流のＳＬＭからの光を遮る機能を有する。下流のＳＬＭは十分なダイナミックレンジ能力を保有しているが、適当な場合または要求される場合は、新規の入力値を照度レベルとして有することとなる。明るい場面に関しては、前置光変調器を活性化する必要はなく、事象の通常の輝度が維持される。このように、前置光変調器を用いて投影器を場面の輝度に適合させてもよく、一般的に人間の視覚系が機能する方法でマッチングを行う。
【誤訳訂正４】
【訂正対象書類名】明細書
【訂正対象項目名】００２０
【訂正方法】変更
【訂正の内容】
【００２０】
また、本発明の追加の特徴は、例えば、更なる全体的に場面のコントラストが要求される場合、下流のＳＬＭによってもたらされる照度レベルを選択的に増大させるための輝度補正を含む。補正アルゴリズムは、下流のＳＬＭへの過度の入力を場合に応じて低減し得る包括的な前置光変調として、特に単一ピクセルの前置光変調器が使用される時に役立つものとなり得る。最後に、追加的に改善された場面コントラストは、重ね合わされ、タイリングされた像に関する１以上のマスクの使用を通して起こり得る。これらのマスクを効果的に使用して、ＳＬＭのエッジの周辺で生成された必要されないグレアを遮ってもよい。特に、複数のＳＬＭのタイリングが行われる場合、改善された結果のためにリレー像から焦点が軸方向にずれた面内に二次的な「遮光」マスクを用いてもよい。
【誤訳訂正５】
【訂正対象書類名】明細書
【訂正対象項目名】００２５
【訂正方法】変更
【訂正の内容】
【００２５】
本発明の追加の目的としては、投影像のコントラストまたはダイナミックレンジを改善するために、１以上の前置光変調器を用いる投影のための技術および装置を提供することにある。
【誤訳訂正６】
【訂正対象書類名】明細書
【訂正対象項目名】００２６
【訂正方法】変更
【訂正の内容】
【００２６】
また、本発明のさらに別の目的としては、単一ピクセルの前置光変調器を使用し、補正目的のために随意に補正アルゴリズムを含む技術および装置を提供することにある。
【誤訳訂正７】
【訂正対象書類名】明細書
【訂正対象項目名】００３４
【訂正方法】変更
【訂正の内容】
【００３４】
図３は、本発明の一部として使用されうる前置光変調器２４を示す。ランプ２１と反射器２０からの光２２は、コールドミラー２３により前置光変調器２４に向けられる。先に記載したことから分かるように、前置光変調器２４がＳＬＭ、望ましくは（必須ではないが）いくつかの具体例において単一ピクセル装置にすることができ、下流のＳＬＭのダイナミックレンジを改良する為に利用される。前置光変調器２４によって変調された光は、インテグレーティングバー２５を通り、そして照度リレー２６を通って、ＳＬＭ２７まで伝播する。そのようなＳＬＭ２７は、ＳＬＭ１ａおよび１ｂ、またはＳＬＭ２ａおよび２ｂのいずれかに対応する。
【誤訳訂正８】
【訂正対象書類名】明細書
【訂正対象項目名】００４０
【訂正方法】変更
【訂正の内容】
【００４０】
上述したことは、本発明の具体例を図示し、説明し、記述する目的のために提供されているので、これらの具体例に対する更なる修正および改良は、当業者にとって明らかであろうし、その発明の範囲または趣旨から離れないでなされ得る。例えば、上記のように、レンズ１３に対するプリズム１０の位置は移動可能にしてもよく、それにより、タイリングされた像１２を形成しているビームの重ね合わせ領域のサイズの更なる改良が可能となる。前置光変調、補正アルゴリズムおよび像コード化が本発明に従って行われてもよく、ここで記載されたシステムおよび部品数は、望ましい結果を生じさせるためにふさわしくなるように設計されてもよい。また更に、強誘電装置、液晶表示器（ＬＣＤ）、または他の光源若しくは光弁を、必要または所望に応じて用いてもよい。最後に、いつくかの場合においては、緑色または明るい色の情報だけが重ね合わされてもよい。
【誤訳訂正９】
【訂正対象書類名】明細書
【訂正対象項目名】図面の簡単な説明
【訂正方法】変更
【訂正の内容】
【図面の簡単な説明】
【図１Ａ】    図１Ａは、第１ＳＬＭから出力された第１サブイメージの概略図である。
【図１Ｂ】    図１Ｂは、第２ＳＬＭから出力された第２サブイメージの概略図である。
【図１Ｃ】    図１Ｃは、第１合成像を形成するために第１サブイメージ上に重ね合わされた第２サブイメージの概略図である。
【図１Ｄ】    図１Ｄは、本発明の方法を用いて投影された全体の像を生成するために、第１合成像と同様に形成された第２像とタイルリングされた第１合成像の概略図ある。
【図２】    図２は、図１Ｄの像を生成するために用いられ得る、本発明の典型的なシステム部品の概略図である。
【図３】    図３は、本発明の一部として使用され得る前置光変調器を示した概略図である。
【図４】    図４は、エッジマスクの典型的な配置を示している概略化された光学リレーシステムの概略図である。
【図５】    図５は、補助的遮光マスクの典型的な配置を示している図４と同様のシステムの概略図である。
【誤訳訂正書】
【提出日】平成23年8月4日(2011.8.4)
【誤訳訂正１】
【訂正対象書類名】明細書
【訂正対象項目名】特許請求の範囲
【訂正方法】変更
【訂正の内容】
【特許請求の範囲】
【請求項１】
分子構造（Ａ−Ｂ）ｎ（ここでＡは無水マレイン酸、Ｂはアルキルビニルエーテル、及びｎは共重合体の分子量の整数表示である。）を有する、無味無臭の無水マレイン酸（ＭＡＮ）及びＣ１‐４アルキルビニルエーテル（ＡＶＥ）の共重合体が交互に並ぶ高分子の無溶媒微細白粉末を得る連続的無溶媒方法であって、
共重合体中のＡ：Ｂが求められる１：１モル比よりも過剰な、反応物質及び溶媒としてのアルキルビニルエーテル、溶解無水マレイン酸、フリーラジカル開始剤を、５０〜１００℃の反応温度で加熱したリアクターへ所望の供給速度で連続的に供給し、リアクター内の反応物質を所望の平均残留時間保持し、
反応生成物、残留アルキルビニルエーテル及び開始剤を、反応物質をリアクターへ供給する速度と同様の速度で回収し、残留アルキルビニルエーテルを反応生成物から除去し、アルキルビニルエーテルのいずれの微量残存物から得られた共重合体を乾燥し、回収したアルキルビニルエーテルをリアクターの中へ反応物質及び溶媒として戻しリサイクルすることを特徴とする連続的無溶媒方法。
【請求項２】
前記アルキルビニルエーテルがメチルビニルエーテルである請求項１記載の連続的無溶媒方法。
【請求項３】
アルキルビニルエーテルの溶解無水マレイン酸に対するモル比（アルキルビニルエーテル：溶解無水マレイン酸）が、２５：１〜５：１である請求項１記載の連続的無溶媒方法。
【請求項４】
前記モル比が、１２：１〜７：１である請求項３記載の連続的無溶媒方法。
【請求項５】
開始剤濃度が、共重合体を基準として０．０１〜０．２％である請求項１記載の連続的無溶媒方法。
【請求項６】
重合リアクターから除去した共重合体固形物の％が、１０〜４０％である請求項１記載の連続的無溶媒方法。
【請求項７】
乾燥工程を、４０〜１００℃で真空又は大気圧下で行なう請求項１記載の連続的無溶媒方法。
【請求項８】
リアクター中の残留時間が、０．５〜５時間である請求項１記載の連続的無溶媒方法。
【誤訳訂正２】
【訂正対象書類名】明細書
【訂正対象項目名】０００６
【訂正方法】変更
【訂正の内容】
【０００６】
ここでの方法は、共重合体中のＡ：Ｂが求められる１：１モル比よりも過剰な、モノマー反応剤及び溶媒としてのアルキルビニルエーテル、所望の供給率の溶解無水マレイン酸、フリーラジカル開始剤を、約５０〜１００℃の反応温度で加熱したリアクターへ連続的に供給し、リアクター内の反応物質を所望の平均残留時間保持し、反応生成物、残留アルキルビニルエーテル及び開始剤を、反応物質をリアクターへ供給する速度と同様の速度で回収し、残留アルキルビニルエーテルを反応生成物から除去し、アルキルビニルエーテルのいずれの微量残存物から得られた共重合体を乾燥し、回収されたアルキルビニルエーテルをリアクターの中へ戻しリサイクルする。
【誤訳訂正書】
【提出日】平成23年3月30日(2011.3.30)
【誤訳訂正１】
【訂正対象書類名】明細書
【訂正対象項目名】請求項５
【訂正方法】変更
【訂正の内容】
【請求項５】  ハウジングの遠位の端部に着脱可能および取替え可能に結合される、請求項１記載のキャップ。
【誤訳訂正２】
【訂正対象書類名】明細書
【訂正対象項目名】００１１
【訂正方法】変更
【訂正の内容】
【００１１】
本発明のさらに他の実施の形態に基づけば、キャップはハウジングの遠位の端部に着脱可能および取替え可能に結合される。
【誤訳訂正３】
【訂正対象書類名】明細書
【訂正対象項目名】００２１
【訂正方法】変更
【訂正の内容】
【００２１】
図２を参照すると、キャップ本体１４はキャップ本体１４の近位の端部３２を切開装置のハウジング１２の遠位の端部に着脱可能および取替え可能に結合するためのコネクタ２０を含んでよい。コネクタ２０には、好ましくは、切開装置のハウジング１２に設けられた対応するねじ山と螺合されるねじ山が設けられている。その他の接続機構が本発明の範囲を逸脱せずに用いられることが当業者には適切に理解される。例えば、コネクタ２０はハウジング１２にスナップ嵌め（snap-fit）されるようにその寸法および形状が設計されていても良い。さらに、キャップ１０はハウジング１２に半永久的に固定されていても良く、しかし、キャップ１０はハウジング１２に着脱可能および取替え可能に結合されていることが好ましい。
【誤訳訂正４】
【訂正対象書類名】明細書
【訂正対象項目名】００４１
【訂正方法】変更
【訂正の内容】
【００４１】
図１０および図１１は、本発明のキャップの他の実施の形態を例示している図である。キャップ８０は近位の端部８６を備えたキャップ本体８１を含む。接触リング８５がキャップ本体８１の遠位の端部８３に取り付けられている。開口９２が接触リング８５に設けられていて、ランセット３０の一部が開口９２を通過して指先を有効に穿孔できるようになっている。例示されたキャップ本体８１は、キャップ本体８１の近位の端部８６を切開装置のハウジング１２の遠位の端部に着脱可能および取替え可能に結合するためのコネクタ８４を含んでよい。例えば、コネクタ８４はハウジング１２に適合するような寸法および形状を有してよい。キャップ８０は半永久的にハウジング１２に固定されてよいが、好ましくは、キャップ８０はハウジング１２に着脱可能および取替え可能に結合される。
【誤訳訂正５】
【訂正対象書類名】明細書
【訂正対象項目名】００４８
【訂正方法】変更
【訂正の内容】
【００４８】
キャップ本体９４は、キャップ本体９４の近位の端部９８をハウジング１２の遠位の端部に着脱可能および取替え可能に結合するためのコネクタ９９を含む。例えば、コネクタ９９はハウジング１２に適合するような寸法および形状を有してよい。また、キャップ９０はハウジング１２に半永久的に固定されてもよい。好ましくは、キャップ９０はハウジング１２に着脱可能および取替え可能に結合される。キャップ本体９４は図１０のキャップ本体８１と同様であることが好ましい。キャップ８０の材料がキャップ９０にも同様に用いられてよい。その材料は透明であるか、キャップ９０内の搾り出された血液を目視できるようにするための透明な部分を含むものでよい。
【誤訳訂正６】
【訂正対象書類名】明細書
【訂正対象項目名】００５８
【訂正方法】変更
【訂正の内容】
【００５８】
キャップ本体１３２はハウジング１２の遠位の端部にキャップ本体１３２の近位の端部を着脱可能および取替え可能に結合するためのコネクタを含んでよい。ある実施の形態に基づけば、キャップ１３０はハウジング１２に半永久的に固定される。好ましくは、キャップ１３０はハウジング１２に着脱可能および取替え可能に結合される。
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
基板（１）、
第１の電極（２）、
前記第１の電極（２）上の有機機能層（４）、及び
前記有機機能層（４）上の第２の電極（５）を有し、前記第１の電極（２）及び／又は前記第２の電極（５）はレニウム化合物を有し、
前記有機機能層（４）と前記第１の電極（２）及び／又は前記第２の電極（５）との間に、ドープされた電気的に半導体の層（３）が存在し、前記ドープされた電気的に半導体の層（３）はドーパントを有し、前記ドーパントはＲｅＯ3単位を有し、前記単位に基Ｍが結合している、有機電気素子。
【請求項２】
前記第１の電極（２）及び／又は前記第２の電極（５）は透明である、請求項１記載の素子。
【請求項３】
前記第１の電極（２）及び／又は前記第２の電極（５）はポリマーのレニウム化合物を有する、請求項１又は２記載の素子。
【請求項４】
前記ポリマーのレニウム化合物は有機金属酸化レニウムを有する、請求項３記載の素子。
【請求項５】
前記ポリマーのレニウム化合物は、ポリ−アルキルトリオキソレニウム、置換又は非置換のポリ−シクロペンタジエニルトリオキソレニウム及び少なくとも１つの芳香族置換基を有するポリ−トリオキソレニウムを有するグループから選択される、請求項４記載の素子。
【請求項６】
前記ポリマーのレニウム化合物はポリ−メチルトリオキソレニウムを有する、請求項３から５までのいずれか１項記載の素子。
【請求項７】
前記ポリマーのレニウム化合物はドーパントを有する、請求項３から６までのいずれか１項記載の素子。
【請求項８】
前記ドーパントは、テトラチアフルバレン、ビス−（エチレンジチオ）−テトラチアフルバレン、ＳｂＦ3、Ｖ、Ｍｏ及びＷを有するグループから選択される、請求項７記載の素子。
【請求項９】
前記基ＭはＲｅＯ3単位にσ結合している、請求項１から８までのいずれか１項記載の素子。
【請求項１０】
前記基Ｍは、分枝又は非分枝の飽和した脂肪族基、分枝又は非分枝の不飽和の脂肪族基、芳香族、カルボン酸のアニオン、ハロゲン、スタニル基及びシリル基を有するグループから選択される、請求項１から９までのいずれか１項記載の素子。
【請求項１１】
前記脂肪族基、芳香族基及びカルボン酸のアニオンは置換基を有する、請求項１０記載の素子。
【請求項１２】
前記基ＭはＲｅＯ3単位にπ結合している、請求項１から１１までのいずれか１項記載の素子。
【請求項１３】
前記基Ｍは非置換の又は置換されたシクロペンタジエニルを有する、請求項１２記載の素子。
【請求項１４】
前記電気的に半導体の層（３）はマトリックス材料を有し、前記マトリックス材料中に前記レニウム化合物がドーパントとして存在している、請求項１から１３までのいずれか１項記載の素子。
【請求項１５】
前記マトリックス材料は前記レニウム化合物によりｐ型ドープされている、請求項１４記載の素子。
【請求項１６】
前記マトリックス材料は、フェナントロリン誘導体、イミダゾール誘導体、トリアゾール誘導体、オキサジアゾール誘導体、フェニル含有化合物、縮合した芳香族を有する化合物、カルバゾール含有化合物、フルオレン誘導体、スピロフルオレン誘導体及びピリジン含有化合物並びに前記材料の任意の組み合わせを有するグループから選択される、請求項１４又は１５記載の素子。
【請求項１７】
前記レニウム化合物及び前記マトリックス材料は錯体を形成する、請求項１４から１６までのいずれか１項記載の素子。
【請求項１８】
前記の電気的に半導体の層（３）は電荷輸送層／電荷注入層を有する、請求項１から１７までのいずれか１項記載の素子。
【請求項１９】
前記素子は、電界効果トランジスタ、太陽電池又は光検出器として構成されている、請求項１から１８までのいずれか１項記載の素子。
【請求項２０】
前記素子は発光ダイオードを有する、請求項１から１８までのいずれか１項記載の素子。
【請求項２１】
前記有機機能層（４）は放射線を発する層を有する、請求項２０記載の素子。
【請求項２２】
方法工程：
Ａ）  基板（１）を準備する工程、
Ｂ）  前記基板（１）上に機能的な層配置を作成する工程、前記層配置は、第１の電極（２）、前記第１の電極上に配置された有機機能層（４）及び前記機能層上に配置された第２の電極（５）を有し、前記第１の電極（２）及び／又は第２の電極（５）はポリマーのレニウム化合物を有する、
請求項１から２１までのいずれか１項記載の有機電気素子の製造方法。
【請求項２３】
方法工程Ｂは次の工程：
Ｂ１）  前記基板（１）上に前記第１の電極（２）を作成する工程、
Ｂ２）  前記第１の電極（２）上に前記有機機能層（４）を作成する工程、
Ｂ３）  前記有機機能層（４）上に前記第２の電極（５）を作成する工程
を有する、請求項２２記載の方法。
【請求項２４】
方法工程Ｂ１）及び／又は方法工程Ｂ３）において、モノマーのレニウム化合物を前記基板（１）上に及び／又は前記有機機能層（４）上に堆積させ、引き続き加熱して、前記レニウム化合物の重合を行い、第１の電極（２）及び／又は第２の電極（５）を作成する、請求項２３記載の方法。
【請求項２５】
前記モノマーのレニウム化合物は、アルキルトリオキソレニウム、置換又は非置換のシクロペンタジエニルトリオキソレニウム及び少なくとも１つの芳香族置換基を有するトリオキソレニウムを有するグループから選択される、請求項２４記載の方法。
【請求項２６】
前記レニウム化合物はドーパントを有し、前記ドーパントはＶ、Ｍｏ及びＷを有するグループから選択される、請求項２５記載の方法。
【請求項２７】
方法工程Ｂ１）及び／又は方法工程Ｂ３）において、重合されたレニウム化合物とドーパントとを有する第１の電極（２）及び／又は第２の電極（５）を作成する、請求項２４記載の方法。
【請求項２８】
前記ドーパントは、テトラチアフルバレン、ビス−（エチレンジチオ）−テトラチアフルバレン及びＳｂＦ3を有するグループから選択される、請求項２７記載の方法。
【請求項２９】
方法工程Ｂ１）及び／又は方法工程Ｂ２）に引き続く方法工程Ｃ）において、前記第１の電極（２）上に及び／又は前記有機機能層（４）上に電気的に半導体の層（３）を作成する、請求項２３記載の方法。
【請求項３０】
方法工程Ｃ）において、ドーパントとしてのレニウム化合物及びマトリックス材料を同時に前記第１の電極（２）及び／又は前記有機機能層（４）上に堆積させて、前記電気的に半導体の層（３）を形成させる、請求項２９記載の方法。
【請求項３１】
方法工程Ｃ）において、レニウム化合物とマトリックス材料との間のモル比は、レニウム化合物の堆積速度とマトリックス材料の堆積速度の比率によって調節する、請求項２９又は３０記載の方法。
【請求項３２】
前記電気的に半導体の層（３）を方法工程Ｃ）において３０ｎｍの層厚で堆積させる、請求項２９から３１までのいずれか１項記載の方法。
【請求項３３】
方法工程Ａ）においてガラス基板を準備する、請求項２２記載の方法。
【請求項３４】
前記第１の電極（２）はアノードとして構成される、請求項２２から３３までのいずれか１項記載の方法。
【請求項３５】
前記第１の電極（２）はカソードとして構成される、請求項２２から３３までのいずれか１項記載の方法。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
実行時に、データ処理システムが、
第１マルチプレクサの表現を受け取るステップと、
前記第１マルチプレクサの表現を前記第１マルチプレクサのパーティションニュートラル表現へと変換するステップと、
前記第１マルチプレクサのパーティションニュートラル表現をパーティション化して、複数の第２マルチプレクサを生成するステップと、
を備えた方法を遂行するようにさせる実行可能なプログラムインストラクションを含むマシン読み取り可能な媒体。
【請求項２】
前記複数の第２マルチプレクサは、第１サブセットのマルチプレクサ及び第２サブセットのマルチプレクサを含み、第１サブセットのマルチプレクサは、集積回路（ＩＣ）の第１部分に配置されるように設計されると共に、第２サブセットのマルチプレクサは、ＩＣの第２部分に配置されるように設計され、第１サブセットは、１つ以上のマルチプレクサを含み、そして第２サブセットは、１つ以上のマルチプレクサを含む、請求項１に記載の媒体。
【請求項３】
前記第１マルチプレクサの表現は、ＲＴＬネットリスト内のレジスタ転送レベル（ＲＴＬ）形態にあり、そして前記変換は、自動的に遂行される、請求項１に記載の媒体。
【請求項４】
前記パーティションニュートラル表現は、（ａ）複数の３状態ドライバ、（ｂ）ワイヤードＯＲアレイ、又は（ｃ）ワイヤードＡＮＤアレイ、の１つを含む、請求項１に記載の方法。
【請求項５】
前記方法は、前記第１マルチプレクサのデコードロジックを複製するステップを更に備えた、請求項１に記載の媒体。
【請求項６】
第１マルチプレクサの表現を受け取るステップと、
前記第１マルチプレクサの表現を前記第１マルチプレクサのパーティションニュートラル表現へと変換するステップと、
前記第１マルチプレクサのパーティションニュートラル表現をパーティション化して、複数の第２マルチプレクサを生成するステップと、
を備えたマシン具現化方法。
【請求項７】
第１マルチプレクサの表現を受け取る手段と、
前記第１マルチプレクサの表現を前記第１マルチプレクサのパーティションニュートラル表現へと変換する手段と、
前記第１マルチプレクサのパーティションニュートラル表現をパーティション化して、複数の第２マルチプレクサを生成する手段と、
を備えたマシン。
【請求項８】
実行時に、データ処理システムが、
出力を有する第１マルチプレクサの表現を受け取るステップと、
前記第１マルチプレクサの表現を第２マルチプレクサの複数の表現へと分解するステップであって、第２マルチプレクサは、前記第１マルチプレクサの出力に一致する共通出力において、第２マルチプレクサとその共通の出力との間にマルチプレクサを介在せずに、一緒に結合されるようなステップと、
前記第２マルチプレクサを少なくとも１つの集積回路の部分と部分との間でパーティション化するステップと、
を備えた方法を遂行するようにさせる実行可能なプログラムインストラクションを含むマシン読み取り可能な媒体。
【請求項９】
前記第２マルチプレクサの複数の表現は、前記第１マルチプレクサのパーティションニュートラル形態である、請求項８に記載の媒体。
【請求項１０】
出力を有する第１マルチプレクサの表現を受け取るステップと、
前記第１マルチプレクサの表現を第２マルチプレクサの複数の表現へと分解するステップであって、第２マルチプレクサは、前記第１マルチプレクサの出力に一致する共通出力において、第２マルチプレクサとその共通の出力との間にマルチプレクサを介在せずに、一緒に結合されるようなステップと、
前記第２マルチプレクサを少なくとも１つの集積回路の部分と部分との間でパーティション化するステップと、
を備えたマシン具現化方法。
【請求項１１】
出力を有する第１マルチプレクサの表現を受け取る手段と、
前記第１マルチプレクサの表現を第２マルチプレクサの複数の表現へと分解する手段であって、第２マルチプレクサは、前記第１マルチプレクサの出力に一致する共通出力において、第２マルチプレクサとその共通の出力との間にマルチプレクサを介在せずに、一緒に結合されるような手段と、
前記第２マルチプレクサを少なくとも１つの集積回路の部分と部分との間でパーティション化する手段と、
を備えたマシン。
【請求項１２】
実行時に、データ処理システムが、
パーティションニュートラル分解を行うことのできる第１ロジックコンポーネントの表現を受け取るステップと、
前記第１ロジックコンポーネントの表現をパーティションニュートラル表現へと変換するステップと、
前記パーティションニュートラル表現をパーティション化して複数のロジックコンポーネントを生成し、これらが一緒になって前記第１ロジックコンポーネントの結果を与えるステップと、
を備えた方法を遂行するようにさせる実行可能なプログラムインストラクションを含むマシン読み取り可能な媒体。
【請求項１３】
前記第１ロジックコンポーネントは、Ｎ入力加算器である、請求項１２に記載の媒体。
【請求項１４】
前記変換は、前記Ｎ入力加算器を、１セットのワイヤを有するバスとして表す、請求項１３に記載の媒体。
【請求項１５】
前記方法は、前記第１マルチプレクサの選択ラインを駆動するロジックを含むように前記第１マルチプレクサのデコードロジックを拡張することを更に含む、請求項１に記載の媒体。
【請求項１６】
前記拡張は、前記変換の前に行われ、更に、前記拡張は、複製されるべき制御ロジックを定義するようにカットされた信号を含む、請求項１５に記載の媒体。
【請求項１７】
前記第１マルチプレクサの選択ラインを駆動するロジックを含むように前記第１マルチプレクサのデコードロジックを拡張することを更に含む、請求項６に記載の方法。
【請求項１８】
前記拡張は、前記変換の前に行われ、更に、前記拡張は、複製されるべき制御ロジックを定義するようにカットされた信号を含む、請求項１７に記載の方法。
【請求項１９】
前記方法は、各パーティション内のパーティションニュートラル表現をＲＴＬ（レジスタ転送レベル）コンポーネントへと変換することを更に含む、請求項１に記載の媒体。